(57)【要約】【課題】廻り階段部Ｓ２の防音性や遮音性を高めるようにする。【解決手段】直階段部Ｓ１，Ｓ３に接続された廻り階段部Ｓ２を有する階段Ｓにおいて、その廻り階段部Ｓ２では、踏板９が雛段型側桁２１の上面に載置されて固定されており、雛段型側桁２１と、該側桁２１が固定される下地壁面Ｗとの間に弾性材３１を介在させるとともに、雛段型側桁２１の各側桁部材２２において踏板９を載せる踏板載置部２２ａ，２２ｂと該踏板９との間にも弾性材３２を介在させる。【選択図】図１０
2016065451.tif 000002
【特許請求の範囲】
【請求項１】
踏板が雛段型側桁の上面に載置されて固定された廻り階段部を有する階段であって、
上記廻り階段部では、上記雛段型側桁と、該側桁が固定される下地壁面との間、及び雛段型側桁の踏板を載せる踏板載置部と該踏板との間にそれぞれ弾性材が設けられていることを特徴とする階段。
【請求項２】
請求項１において、
廻り階段部に直階段部が接続されていることを特徴とする階段。
【発明の詳細な説明】
【技術分野】
【０００１】
本発明は、廻り階段部を備えた階段に関する。
【背景技術】
【０００２】
従来より、階段における踏板の表面に化粧材を貼着して化粧性や防音性を付与することが知られている。一般に、化粧材は踏板基材を側桁に強固に組み込んだ後に上貼りすることが行われており、そのため、その組込後の踏板基材の形状に合わせて切断して仕上げなければならず、現場にて正確に丁寧に採寸する必要があって手間がかかっていた。
【０００３】
側桁との見切り部においては、化粧材の端部をラフにカットし見切り材でカバーすれば美麗に仕上げることはできるが、その見切り材の分だけ部材点数が増加して経済性も低くなる。また、踏板に予め化粧材を貼着させておいて、踏板基材と同じように側桁に組み込んで仕上げることも考えられるが、化粧材は踏板基材よりも軟性であるため、組み込むと化粧材のみが膨らんで仕上がりが悪くなることがある。
【０００４】
このため、従来、特許文献１に示されるように、側桁内部に化粧材を逃がす空間を持たせることが提案されている。
【０００５】
また、特許文献２に示されるように、踏板、段鼻、蹴込板まで全て覆ってしまう方法も提案されている。
【先行技術文献】
【特許文献】
【０００６】
【特許文献１】特開平８−３３３８５８号公報
【特許文献２】特開２００４−２８５６６７
【発明の概要】
【発明が解決しようとする課題】
【０００７】
ところで、階段としては、直階段部の他に、直階段部に接続される廻り階段部が知られており、この廻り階段部についても防音性や遮音性を高めることが要求される。
【０００８】
そこで、本発明の目的は、廻り階段部の構造に工夫を加えることにより、廻り階段部の防音性や遮音性を高めるようにすることにある。
【課題を解決するための手段】
【０００９】
上記の目的を達成するために、この発明では、廻り階段部における下地壁面に雛段型の側桁を固定して、その側桁の上面に廻り階段部の踏板を載置し、その側桁と下地壁面との間、及び側桁の踏板を載せる踏板載置部と踏板との間にそれぞれ弾性材を介在させるようにした。
【００１０】
すなわち、第１の発明は、踏板が雛段型側桁の上面に載置されて固定された廻り階段部を有する階段であって、その廻り階段部では、上記雛段型側桁と、該側桁が固定される下地壁面との間、及び上記雛段型側桁の踏板を載せる踏板載置部と該踏板との間にはそれぞれ弾性材が設けられていることを特徴とする。
【００１１】
この第１の発明では、廻り階段部の雛段型側桁における下地壁面側の側面と下地壁面との間、及び雛段型側桁の踏板載置部と踏板との間にそれぞれ弾性材が介在されているので、これらの弾性材により廻り階段部における防音性、遮音性を高めることができる。
【００１２】
第２の発明は、第１の発明において、上記廻り階段部に直階段部が接続されていることを特徴とする。
【発明の効果】
【００１３】
以上説明した如く、本発明によると、廻り階段部の雛段型側桁における下地壁面側の側面、及び踏板を載せる上面に弾性材を設けたことにより、廻り階段部における防音性や遮音性を高めることができる。
【図面の簡単な説明】
【００１４】
【図１】図１は、本発明の実施形態に係る階段の正面図である。
【図２】図２は、階段の側面図である。
【図３】図３は、階段の平面図である。
【図４】図４は、階段の直階段部を拡大して示す斜視図である。
【図５】図５は、直階段部の階段構造における側桁の拡大側面図である。
【図６】図６は、直階段部の階段構造における踏板の嵌合部分を示す断面図である。
【図７】図７は、踏板嵌合溝の拡大断面図である。
【図８】図８は、踏板基材に段鼻部材及び表面材が取り付けられた踏板を拡大して示す断面図である。
【図９】図９は、階段の廻り階段部の側桁を示す斜視図である。
【図１０】図１０は、廻り階段部における踏板の支持部分を示す断面図である。
【図１１】図１１は、下側直階段部と廻り階段部との接続部分を示す断面図である。
【図１２】図１２は、廻り階段部と上側直階段部との接続部分を示す断面図である。
【図１３】図１３は、廻り階段部の踏板を示す図８相当図である。
【図１４】図１４は、例１及び例５の階段構造の防音性能を示す図である。
【図１５】図１５は、例１及び例５の階段構造の防音性能を示す図である。
【図１６】図１６は、例４及び例５の階段構造の防音性能を示す図１４相当図である。
【図１７】図１７は、例４及び例５の階段構造の防音性能を示す図１５相当図である。
【発明を実施するための形態】
【００１５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１６】
図１〜図３は本発明の実施形態に係る階段Ｓを示す。この階段Ｓは、建物の階下の床面Ｆ１から直線状に斜め上側に延びる例えば７段の下側直階段部Ｓ１と、この下側直階段部Ｓ１の上端に下端が接続され、下側直階段部Ｓ１に対し９０°に折れ曲がり状に斜め上側に延びる例えば３段の廻り階段部Ｓ２と、この廻り階段部Ｓ２の上端に下端が接続される一方、上端が階上の床面Ｆ２に接続され、直線状に斜め上側に延びる例えば４段の上側直階段部Ｓ３とを有する。
【００１７】
尚、以下の説明では、説明の便宜上、階段Ｓの上り方向（図３の一点鎖線矢印にて示す方向）に向かって手前側を「前」とも言い、奥側を「後」とも言う。
【００１８】
上記下側及び上側直階段部Ｓ１，Ｓ３は互いに同じ階段構造を有する側桁階段であり、下地壁面Ｗに左右に対向するように配置されて固定された左右の側桁１，１と、それら側桁１，１間に掛け渡された複数の踏板８，８，…と、上側の踏板８下面の前端部及び下側の踏板８上面の後側部の間に設けられた複数の蹴込板１３，１３，…とを有する。
【００１９】
上記蹴込板１３は、一般の階段に用いられる蹴込板と同じ材料のものが用いられ、例えば合板、パーティクルボード、ＭＤＦ、複合合板、集成材等である。
【００２０】
上記各踏板８は、図６及び図８に示すように、所定の強度を備えた踏板基材９と、この踏板基材９の上面に一体的に貼着された表面材１０とを有する。踏板基材９は、所定の厚さ（例えば３６ｍｍ）を有する板材からなり、その材料は特に限定されず、一般の階段に用いられる踏板と同じ材料のものが用いられ、例えば合板、パーティクルボード、複合合板、集成材、無垢材等である。踏板基材９の下面の前端部には、蹴込板１３の上端部を嵌合するための嵌合溝９ａが形成されている。
【００２１】
表面材１０は、所定厚さ（例えば７．５ｍｍ）の薄板状のもので、例えば化粧材とその裏面に貼着された制振材及び／又はクッション材とからなる。化粧材としては、ＭＤＦやハードボード等の木質基材、これらに樹脂を含浸させたもの等が用いられる。制振材としては、ＰＶＣマット、ゴムマット、アスファルトマット、インシュレーションボード等が用いられる。クッション材としては、不織布、ウレタン等の樹脂発泡体等が用いられる。
【００２２】
表面材１０はこれらに限らず、単体材料でも複合材料でもよく、樹脂化粧シートや樹脂記基材、木質基材等を使用できる。
【００２３】
表面材１０を踏板基材９に貼着するための手段は限定されないが、特に踏板８の更新性を求める場合には、リフォームする際に踏板基材９から表面材１０がきれいに剥がれるような接着剤やテープを用いるのが望ましい。接着剤としては、低粘着性接着剤や弾性接着剤が好ましく、例えばシリル化ウレタン接着剤、特殊シリコン樹脂接着剤、変性シリコン樹脂接着剤が用いられ、適宜接着剥離強度を調整したものを用いてもよい。テープとしては、片面が低粘着性とされた両面テープ等が用いられる。
【００２４】
図６に示すように、上記踏板基材９と表面材１０との階段幅方向（左右方向）の長さＬ１，Ｌ２は互いに異なり、表面材１０の長さＬ２が踏板基材９の長さＬ１よりも所定寸法（例えばＬ１−Ｌ２＝１０ｍｍ）だけ短くなっている（Ｌ２＜Ｌ１）。
【００２５】
また、図８に示すように、踏板基材９と表面材１０とは階段奥行方向（前後方向）の幅も互いに異なり、表面材１０の幅が踏板基材９の幅よりも後述する段鼻部材１６におけるベース部１７の幅寸法（例えば２６ｍｍ）だけ短くなっている。
【００２６】
図５に示すように、左右の側桁１，１の対向面には、各踏板８の左右端部（長さ方向の端部）を嵌合する水平前後方向に延びる踏板嵌合溝２，２，…と、各蹴込板１３の左右端部（長さ方向の端部）を嵌合する上下方向に延びる蹴込板嵌合溝５，５，…とが交互に連続するように形成されている。
【００２７】
図５〜図７に示すように、上記各踏板嵌合溝２は、踏板基材９の左右端部が嵌め込まれる基材嵌合溝部３（基材嵌合部）と、表面材１０の左右端部が嵌め込まれる表面材嵌合溝部４（表面材嵌合部）との２段構造の溝からなる。このことで、各側桁１には、踏板８の踏板基材９が嵌め込まれる基材嵌合溝部３と、表面材１０が嵌め込まれる表面材嵌合溝部４とが設けられている。
【００２８】
すなわち、図７に示すように、上記基材嵌合溝部３の溝深さｄ１と表面材嵌合溝部４の溝深さｄ２とは、上記踏板基材９及び表面材１０の長さＬ１，Ｌ２の差に応じて互いに異なり、表面材嵌合溝部４の溝深さｄ２（表面材嵌合溝部４への表面材１０の嵌合深さ）は、基材嵌合溝部３の溝深さｄ１（基材嵌合部への踏板基材９の嵌合深さ）よりも所定深さ（ｄ１−ｄ２＝５ｍｍ）だけ浅くなっている（ｄ２＜ｄ１）。
【００２９】
また、図５に示すように、各踏板嵌合溝２の基材嵌合溝部３は、その下側の溝側面が後下がりに傾斜していて、溝幅が後側に向かって大きくなっており、基材嵌合溝部３に踏板基材９を嵌め込んだときに、その踏板基材９の下面後端部と基材嵌合溝部３の下側溝側面との間に隙間を生じさせて、その隙間にクサビ（図示せず）を打ち込むことで踏板基材９（踏板８）を固定するようにしている。
【００３０】
そして、下側及び上側直階段部Ｓ１，Ｓ３の階段構造では、側桁１，１の各踏板嵌合溝２，２に対し各踏板８の左右端部が嵌め込まれ、その踏板基材９の端部は踏板嵌合溝２の基材嵌合溝部３に、また表面材１０の端部は表面材嵌合溝部４にそれぞれ嵌合され、その状態で踏板８がクサビにより固定されている。また、側桁１，１の各蹴込板嵌合溝５，５に蹴込板１３の左右端部が嵌合され、その蹴込板１３の上端部は、上側の踏板基材９下面の嵌合溝９ａに嵌合され、下端部は下側の踏板８の後端部に固定されている。
【００３１】
図８に示すように、上記各踏板８の前端部（段鼻部）には、階段Ｓを昇降する人が踏板８上で滑らないようにするための段鼻部材１６が固定されており、この段鼻部材１６よりも後側（奥側）の範囲の踏板基材９上面に上記表面材１０が貼着されている。段鼻部材１６は、例えばＰＶＣ樹脂の成形体、ＡＢＳ樹脂基材に化粧樹脂シートが貼着された成形体等が用いられる。
【００３２】
段鼻部材１６は、踏板基材９に直接固定されるベース部１７と、このベース部１７に取り外し可能に組み付けられるカバー部１８とを有する。ベース部１７は、左右方向に延びる板状のベース部本体１７ａと、このベース部本体１７ａ上面の後端部及び前端部寄り部分に一体に突設され、上端に内向き（相対向する側）に折れ曲がった２つの係合部１７ｃ，１７ｃが形成されたリブ板状の突起部１７ｂとからなる。ベース部本体１７ａの左右長さは、左右の側桁１，１の対向面間の距離（側桁１の基材嵌合溝部３に嵌合される端部を除いた踏板基材９の長さ）と同じであり、ベース部本体１７ａの前後方向の幅は、上記踏板基材９と表面材１０との階段奥行方向（前後方向）の幅の差と同じ（例えば２６ｍｍ）になっており、ベース部１７を踏板基材９上面の前端部に対し、両面テープとステープルやビス等とによって直接固定するようにしている。
【００３３】
一方、カバー部１８は、互いに直角に折り曲げられた上面部１８ｂと前面部１８ｃとからなる断面Ｌ字状のカバー部本体１８ａを備え、このカバー部本体１８ａの左右長さはベース部１７のベース部本体１７ａと同じであり、幅はベース部本体１７ａよりも大きくされている。カバー部本体１８ａの上面部１８ｂの上面（外面）には、左右方向に延びる軟質ＰＶＣ樹脂等からなる複数の滑り止め用突条１９，１９，…が前後方向に並んで突設されている。カバー部本体１８ａの上面部１８ｂの下面（内面）には、下端に外向き（反対向側）に折れ曲がった係合爪１８ｅ，１８ｅを有する２つのリブ板状の突起部１８ｄ，１８ｄが一体に形成されている。前面部１８ｃの下端には、後側に折れ曲がった板状の係止部１８ｆが一体に突設されており、カバー部本体１８ａの前面部１８ｃを踏板基材９の前端面に当接させた状態で、その下端の係止部１８ｆを踏板基材９の下面前端に係止させ、かつ上面部１８ｂの突起部１８ｄ，１８ｄをベース部１７の突起部１７ｂ，１７ｂ間に嵌め込んで係合爪１８ｅ，１８ｅを係合部１７ｃ，１７ｃに係合させることで、カバー部１８をベース部１７に取り外し可能に組み付け、カバー部１８の上面部１８ｂの後端部で踏板８の表面材１０の前端部を部分的に覆うようになっている。
【００３４】
上記廻り階段部Ｓ２は、上下の直階段部Ｓ１，Ｓ３を接続するように設けられている。この廻り階段部Ｓ２は、直階段部Ｓ１，Ｓ３とは異なり、例えば３段の雛段型側桁２１を有し、その側桁２１に下段、中段及び上段の３段の踏板２４〜２６が載置されて固定されている。すなわち、図９〜図１３にも示すように、廻り階段部Ｓ２の廻り方向外側には、互いに直角に接続された上側及び下側の２枚の板状の側桁部材２２，２２からなる側桁２１が配置され、これらの側桁部材２２，２２は下地壁面Ｗに固定されている。各側桁部材２２の上面の一側には水平な下段踏板載置部２２ａが、また他側には下段踏板載置部２２ａよりも一定高さだけ高さ位置の高い水平な上段踏板載置部２２ｂがそれぞれ形成され、両踏板載置部２２ａ，２２ｂ間は上下方向の蹴込板配置部２２ｃによって連続している。各側桁部材２２の下面の一部は一側（下段踏板載置部２２ａ側）から他側（上段踏板載置部２２ｂ側）に向かって上側に向かうように傾斜している。そして、下側の側桁部材２２の他端と上側の側桁部材２２の一端とが、下側の側桁部材２２の上段踏板載置部２２ｂと上側の側桁部材２２の下段踏板載置部２２ａとが同じ高さとなるように連結されており、下側の側桁部材２２の下段踏板載置部２２ａに三角形状の下段踏板２４の外側端部が、また下側の側桁部材２２の上段踏板載置部２２ｂと上側の側桁部材２２の下段踏板載置部２２ａとに略菱形状の中段踏板２５の外側端部が、さらに上側の側桁部材２２の上段踏板載置部２２ｂに三角形状の上段踏板２６の外側端部がそれぞれ載置されて固定されている。
【００３５】
尚、廻り階段部Ｓ２の廻り方向内側には側桁がなく、各踏板２４〜２６の内側端部は、下地壁面Ｗに固定した複数の受材（図示せず）に載置されて固定されている。
【００３６】
この廻り階段部Ｓ２における各踏板２４〜２６も、直階段部Ｓ１，Ｓ３の各踏板８と同様に、踏板基材９と、その上面に貼着された表面材１０とからなっているが（直階段部Ｓ１，Ｓ３の各踏板８と同じ符号を付して説明する）、直階段部Ｓ１，Ｓ３の踏板８とは異なり、踏板基材９と表面材１０との間に長さの差はなく、両者は同じ長さとなっている。また、図１３に示すように、踏板基材９の前端部には段鼻部材１６が固定されている。段鼻部材１６の構成及びその踏板２４〜２６への固定構造は直階段部Ｓ１，Ｓ３の踏板８と同様である。
【００３７】
各踏板２４〜２６の下面前端部には、蹴込板２８の上端部を嵌合するための嵌合溝２７が形成されている。この蹴込板２８は踏板２４〜２６を前端部で強度を持って支持するためのもので、上記直階段部Ｓ１，Ｓ３の蹴込板１３よりも厚肉の板材が用いられ、踏板２４〜２６の嵌合溝２７もそれに応じて広幅の溝となっている。この嵌合溝２７に蹴込板２８の上端部を嵌合して踏板８（踏板基材９）の上面からビス（図示せず）を挿通させて固定する一方、蹴込板２８の下端部を下段の踏板２４，２５（下側直階段部Ｓ１の最上段の踏板８も含む）の後端部に固定し、蹴込板２８の左右端部を側桁部材２２の蹴込板配置部２２ｃに固定することで、各踏板２４〜２６が側桁２１及び蹴込板１３によって支持された状態で固定されている。２９は嵌合溝２７内に蹴込板２８上端部との間に介在された防振マットである。
【００３８】
そして、図１０に示すように、廻り階段部Ｓ２の雛段型側桁２１の下地壁面Ｗ側の側面、すなわち雛段型側桁２１と、その側桁２１が固定される下地壁面Ｗとの間には弾性材３１が設けられている。また、同じ側桁２１の側桁部材２２における各踏板載置部２２ａ，２２ｂの上面、すなわち該各踏板載置部２２ａ，２２ｂと各踏板２４〜２６（その踏板基材９）との間にも同様の弾性材３２が設けられている。この弾性材３１，３２としては、例えばアスファルト、ＰＶＣ、ゴム、ウレタン発泡等の材料からなる防振シートや遮音シート、不織布からなる緩衝材等の防振性や遮音性に効果があるシート状物が用いられる。
【００３９】
また、廻り階段部Ｓ２における雛段型側桁２１と踏板２４〜２６との見切り部に見切り材３３（巾木）が取り付けられている。
【００４０】
次に、上記階段Ｓの施工方法について説明する。各直階段部Ｓ１，Ｓ３においては、左右の側桁１，１の対向面に、踏板基材９が嵌め込まれる基材嵌合溝部３と、表面材１０が嵌め込まれる表面材嵌合溝部４とからなる複数の踏板嵌合溝２，２，…を形成するとともに、複数の蹴込板嵌合溝５，５，…を形成しておき、それらの側桁１，１を互いに高さを合わせて下地壁面Ｗに固定する。
【００４１】
次に、その左右の側桁１，１の各踏板嵌合溝２における基材嵌合溝部３に各踏板８の踏板基材９の左右端部を嵌め込み、その踏板基材９と基材嵌合溝部３の下側溝側面との間の隙間にクサビを打ち込んで踏板基材９を固定する。また、この踏板基材９の側桁１への固定と並行して、上下の踏板基材９，９間に蹴込板１３を固定し、その蹴込板１３の左右端部を側桁１の蹴込板嵌合溝５に、また上端部を上側の踏板基材９の嵌合溝９ａにそれぞれ嵌め込み、蹴込板１３の下端部は下側の踏板基材９の後端部に固定する。
【００４２】
このようにして複数の踏板基材９，９，…及び蹴込板１３，１３，…を固定した後、各踏板基材９の上面に接着剤を塗布し、表面材１０の左右端部を側桁１の表面材嵌合溝部４に嵌め込みながら、その表面材１０を踏板基材９の上面に前側を空けて貼り付ける。
【００４３】
その後、踏板基材９の上面の前側端部に段鼻部材１６のベース部１７を固定し、そのベース部１７にカバー部１８を組み付ける。
【００４４】
一方、廻り階段部Ｓ２においては、その雛段型側桁２１の２枚の側桁部材２２，２２を互いに連結した状態で弾性材３１を介在させて下地壁面Ｗに固定した後、その踏板載置部２２ａ，２２ｂの上に弾性材３２を介して３枚の踏板２４〜２６の外側端部を載置し、ビスで固定する。また、各踏板２４〜２６の内側端部は下地壁面Ｗ上の受材に固定する。各踏板２４〜２６の下面前端部の嵌合溝２７に蹴込板２８の上端部を嵌合して踏板２４〜２６（踏板基材９）の上面からビス（図示せず）を挿通させて固定し、その蹴込板２７の下端部を下段の踏板２４，２５（下側直階段部Ｓ１の最上段の踏板８も含む）の後端部に固定する。このことで、各踏板２４〜２６を側桁２１、受材及び蹴込板２８によって支持された状態で固定する。また、上記直階段部Ｓ１，Ｓ３と同様にして踏板８の前端部に段鼻部材１６を取付固定する。
【００４５】
また、このようにして施工された階段Ｓをリフォームする場合には、その直階段部Ｓ１，Ｓ３にあっては、各踏板８の表面材１０を踏板基材９から剥がして側桁１の表面材嵌合溝部４から抜き出し、その後、上記施工方法と同様に、新たな表面材１０を踏板基材９の上面に貼着して側桁１の表面材嵌合溝部４へ嵌め込めばよい。
【００４６】
したがって、この実施形態においては、階段Ｓの直階段部Ｓ１，Ｓ３における各踏板８が踏板基材９と、その上面に貼着される表面材１０とを備え、その表面材１０の長さＬ２が踏板基材９の長さＬ１よりも短くなっている一方、側桁１には、踏板嵌合溝２として基材嵌合溝部３と、この基材嵌合溝部３の溝深さｄ１よりも浅い溝深さｄ２を有する表面材嵌合溝部４とが設けられている。そのため、階段Ｓの施工時には、側桁１に踏板８の踏板基材９と表面材１０とを独立して嵌合し固定することができるようになり（基材嵌合溝部３と表面材嵌合溝部４との溝深さが互いに同じであるときには、踏板基材９と表面材１０とを一体にして嵌合することとなるので、それらを独立して固定することはできない）、最初に側桁１の基材嵌合溝部３に踏板基材９の左右端部を嵌合してクサビで固定し、その固定後に表面材嵌合溝部４に表面材１０の左右端部を嵌合すればよく、表面材１０の施工については、端部をラフカットして側桁１の表面材嵌合溝部４に嵌合するだけで済むこととなり、その分、施工が速くなって施工期間が短くなる。また、表面材１０の前端部が段鼻部材１６のカバー部１８により覆われるので、この表面材１０の前端部についてもラフカットで済み、施工が速くなる。
【００４７】
また、表面材１０が側桁１の表面材嵌合溝部４に組み込まれる仕上がりとなるため、見切り部材等を用いずとも美麗な外観となる。
【００４８】
各踏板８は、硬質性の踏板基材９の上面に表面材１０が貼着されたものであるので、あくまでも硬性な踏板８が側桁１に固定されることとなり、高い安全性が確保される。
【００４９】
さらに、各踏板８は踏板基材９の上面に表面材１０が貼着されたものであるので、表面材１０のみを踏板基材９とは独立して交換でき、リフォームのために表面材１０の交換が必要となったときには、上述したように、踏板基材９は側桁１の基材嵌合溝部３に嵌合したままで、その踏板基材９から古い表面材１０を剥がすとともに、その端部を側桁１の表面材嵌合溝部４から抜き出し、その後、新しい表面材１０を側桁１の表面材嵌合溝部４に嵌め込んで元の踏板基材９の上面に貼着すればよい。つまり、元の表面材１０を剥がして新たに表面材１０を貼着することだけで、階段Ｓのリフォームが可能となり、そのリフォームを容易にかつ素早く行って美麗な仕上がりを得ることができる。
【００５０】
また、各踏板８における踏板基材９の前端部に段鼻部材１６が固定され、その段鼻部材１６はベース部１７とカバー部１８との２つの部材を有し、そのカバー部１８がベース部１７に対し取り外し可能であるので、表面材１０を交換するときでも、カバー部１８を外して表面材１０を交換した後に再度カバー部１８を嵌め込むだけでよく、美麗に仕上げることができる。
【００５１】
また、階段Ｓは、上下の直階段部Ｓ１，Ｓ３と、この両直階段部Ｓ１，Ｓ３に接続された廻り階段部Ｓ２とを組み合わせたものであるが、廻り階段部Ｓ２の施工は直階段部Ｓ１，Ｓ３に比べて困難であり、その施工が困難な廻り階段部Ｓ２を直階段部Ｓ１，Ｓ３と同様の階段構造とするのではなく、踏板２４〜２６が雛段型側桁２１の上面に載置固定されている雛段型の階段構造としたので、階段Ｓの施工が速くなって施工期間が短くなる。
【００５２】
さらに、廻り階段部Ｓ２の雛段型側桁２１と下地壁面Ｗとの間、及び雛段型側桁２１の側桁部材２２において踏板２４〜２６を載せる踏板載置部２２ａ，２２ｂと踏板２４〜２６との間にそれぞれ弾性材３１，３２が介在されているので、これらの弾性材３１，３２により廻り階段部Ｓ２における防音性、遮音性を高めることができる。
【００５３】
（その他の実施形態）
尚、上記実施形態では、直階段部Ｓ１，Ｓ３における両側桁１，１の有底の踏板嵌合溝２に各踏板８の端部を嵌合している構造であるが、本発明は、踏板８が側桁１を貫通した構造にも適用することができる。その場合、側桁１には踏板基材９を貫通状態で嵌合させる基材嵌合部と、その基材嵌合部の上側に位置する有底の表面材嵌合溝部４とを形成し、踏板基材９を基材嵌合部に貫通状態で嵌め込み、表面材１０の端部を表面材嵌合溝部４に嵌合させればよい。
【実施例】
【００５４】
次に、具体的に実施した例について説明する。以下の各例は、直階段部と廻り階段部とを有する実棟現場の階段である。
【００５５】
（例１）
直階段部における階段構造として、厚さ２１ｍｍの側桁に、踏板基材が嵌め込まれる深さ１０ｍｍの基材嵌合溝部と、表面材が嵌め込まれる深さ５ｍｍの表面材嵌合溝部とを２段になるように設けた。
【００５６】
この側桁の基材嵌合溝部に踏板基材を嵌め込み、踏板裏面側からクサビを打ち込んで固定した。次いで、ＭＤＦ基材とＰＶＣマットと不織布とで構成された厚さ７．５ｍｍの表面材をラフカットし、端部を側桁の表面材嵌合溝部に嵌め込むようにして踏板基材の上面に貼着した。この結果、階段を早く美麗に仕上げることができた。
【００５７】
（例２）
例１と同様にして側桁の基材嵌合溝部に踏板基材を固定した。次いで、各踏板基材の前端部（段鼻部）に、硬質ＰＶＣ樹脂の成形体である、段鼻部材のベース部を固定した。このベース部の後側に隣接配置できるように表面材をラフカットし、左右端部を表面材嵌合溝部に嵌め込むようにして踏板基材の上面に貼着した。その後、軟質ＰＶＣ樹脂の成形した４本の滑り止め突条が上面に備わった硬質ＰＶＣ樹脂からなる、段鼻部材のカバー部をベース部に嵌め込んで仕上げた。
【００５８】
（例３）
例２の階段構造において、段鼻部材のカバー部をベース部から取り外し、表面材を踏板基材から剥がした後、新たな表面材を用いて踏板基材の上面に貼着し、元のカバー部をベース部に嵌め込んで仕上げた。
【００５９】
（例４）
廻り階段部において、雛段型の側桁の下地壁面側の側面と、踏板基材を載せる踏板載置部とにそれぞれ厚さ６ｍｍ、幅３０ｍｍ、比重１．２〜１．５程度のゴム材からなる弾性材を貼着し、その雛段型の側桁を下地壁面に固定した。この側桁の踏板載置部に踏板を弾性材に載せて固定した。
【００６０】
（例５）
直階段部における階段構造として、厚さ２１ｍｍの側桁に、踏板基材が嵌め込まれる深さ１０ｍｍの嵌合溝を設けた。
【００６１】
この嵌合溝に踏板基材を嵌め込み、踏板裏面側からクサビを打ち込んで固定した。表面材を踏板基材上面の踏板面に合うように採寸してカットし、踏板基材の上面に貼着した。この表面材の採寸カットのために手間がかかった。
【００６２】
また、廻り階段部の雛段型の側桁の下地壁面側の側面と、踏板基材を載せる踏板載置部とに弾性材を貼着せずに、その雛段型の側桁を下地壁面に固定し、その側桁の踏板載置部に踏板を直接に載せて固定した。
【００６３】
（防音性能の評価）
また、例１、例４及び例５について、階段の防音性能を測定した。例１及び例５では、直階段部の下から５段目の踏板に対し、その１段上の６段目からインパクトボールを自由落下させて衝撃を与えたときの音を階下の部屋で測定した。その結果を図１４及び図１５に示す。例５のＮ数がＮ−６２であるのに対し、例１ではＮ数がＮ−４８であり、例５よりも効果が認められた。
【００６４】
また、例４及び例５では、廻り階段部の下から２段目の踏板に対し、その１段上の３段目からインパクトボールを自由落下させて衝撃を与えたときの音を階下の部屋で測定した。その結果を図１６及び図１７に示す。例５ではＮ数がＮ―６２であったのに対し、例４ではＮ数がＮ−５０であり、例５よりも有効性が認められた。
【産業上の利用可能性】
【００６５】
本発明は、階段の施工期間やそのリフォーム期間を短縮できるとともに、美麗な外観が得られるので、極めて有用で産業上の利用可能性が高い。
【符号の説明】
【００６６】
Ｓ  階段
Ｓ１  下側直階段部
Ｓ２  廻り階段部
Ｓ３  上側直階段部
Ｗ  下地壁面
１  側桁
２  踏板嵌合溝
３  基材嵌合溝部（基材嵌合部）
ｄ１  溝深さ
４  表面材嵌合溝部（表面材嵌合部）
ｄ２  溝深さ
８  踏板
９  踏板基材
Ｌ１  長さ
１０  表面材
Ｌ２  長さ
１３  蹴込板
１６  段鼻部材
１７  ベース部
１８  カバー部
２１  雛段型側桁
２２  側桁部材
２２ａ  下段踏板載置部
２２ｂ  上段踏板載置部
２４  下段踏板
２５  中段踏板
２６  上段踏板
２８  蹴込板
３１  弾性材
３２  弾性材
【図１】
2016065451.tif 000003
【図２】
2016065451.tif 000004
【図３】
2016065451.tif 000005
【図４】
2016065451.tif 000006
【図５】
2016065451.tif 000007
【図６】
2016065451.tif 000008
【図７】
2016065451.tif 000009
【図８】
2016065451.tif 000010
【図９】
2016065451.tif 000011
【図１０】
2016065451.tif 000012
【図１１】
2016065451.tif 000013
【図１２】
2016065451.tif 000014
【図１３】
2016065451.tif 000015
【図１４】
2016065451.tif 000016
【図１５】
2016065451.tif 000017
【図１６】
2016065451.tif 000018
【図１７】
2016065451.tif 000019